(57)【要約】【課題】  本発明は、自動オペレーティングシステムログイン機能付きのワークシステムを提供する。【解決手段】  指紋モバイルディスクは、ユーザーの指紋情報を捕獲する指紋捕獲ユニットと、当該ユーザーの指紋情報を記憶する記憶装置とが含有され、コンピューティング装置は、当該ユーザーの指紋情報に基づいて、それぞれ、ドメイン名とユーザー名及びオペレーティングシステムログインパスワードを設定することを授権するログインパスワード設定ユニットと、オペレーティングシステムログインインターフェースとするログインパスワードキーインユニットとが含有される。これにより、当該コンピューティング装置をオンして当該ログインパスワードキーインユニットにオンする時、当該ログインパスワードキーインユニットにより、自動的にそれぞれ、当該記憶装置に記憶されたドメイン名とユーザー名及びオペレーティングシステムログインパスワードを読取って、自動的に、当該コンピューティング装置のオペレーティングシステムにログインする。【選択図】      図１
2007149101.tif 000002
【特許請求の範囲】
【請求項１】
ユーザーの指紋情報を捕獲する指紋捕獲ユニットと、当該ユーザーの指紋情報を記憶する記憶装置とが含有される指紋モバイルディスクと、
当該指紋モバイルディスクに電気的に接続され、オペレーティングシステムを内蔵し、また、当該ユーザーの指紋情報の授権に基づいて、それぞれ、ドメイン名とユーザー名及びオペレーティングシステムログインパスワードを設定するログインパスワード設定ユニットと、オペレーティングシステムログインインターフェースとするログインパスワードキーインユニットと、が含有され、当該ドメイン名と当該ユーザー名及び当該オペレーティングシステムログインパスワードが、記憶される当該記憶装置とが、含有されるコンピューティング装置と、
が含有され、
当該コンピューティング装置をオンして、当該ログインパスワードキーインユニットにアクセスすると、当該ログインパスワードキーインユニットにより、自動的に、それぞれ、当該記憶装置に記憶されたドメイン名とユーザー名及びオペレーティングシステムログインパスワードを読取って、自動的に当該コンピューティング装置のオペレーティングシステムにログインすることを特徴とする自動オペレーティングシステムログイン機能付きのワークシステム。
【請求項２】
指紋モバイルディスクをコンピューティング装置に電気的に接続し、
当該指紋モバイルディスクの指紋捕獲ユニットにより、ユーザーの指紋情報を捕獲し、
当該ユーザーの指紋情報に基づいて、ユーザーが、当該コンピューティング装置のログインパスワード設定ユニットに対して、それぞれ、当該コンピューティング装置のオペレーティングシステムにログインするためのドメイン名とユーザー名及びオペレーティングシステムログインパスワードを設定することを授権し、
それぞれ、当該ドメイン名と当該ユーザー名及び当該オペレーティングシステムログインパスワードを、当該指紋モバイルディスクの記憶装置に記憶し、
改めてコンピュータをオンする時、当該コンピューティング装置のログインパスワードキーインユニットにアクセスでき、
これにより、当該ログインパスワードキーインユニットにより、自動的に、それぞれ、当該記憶装置に記憶されたドメイン名とユーザー名及びオペレーティングシステムログインパスワードを読取り、自動的に、当該コンピューティング装置のオペレーティングシステムにログインすることを特徴とする自動オペレーティングシステムログイン機能付きのワークシステムの使用方法。
【請求項３】
当該オペレーティングシステムにログインするステップ後、更に、
当該指紋モバイルディスクを除去して、当該コンピューティング装置に電気的に接続されることを遮断するステップと、
当該コンピューティング装置のロックモードを駆動して、当該コンピューティング装置の任意の操作を制限するステップと、
当該指紋モバイルディスクを当該コンピューティング装置に接続して、当該指紋モバイルディスクが、再び、当該コンピューティング装置に電気的に接続されるステップと、
が含有され、
当該ログインパスワードキーインユニットで、直接に、それぞれ、当該記憶装置に記憶されたドメイン名とユーザー名及びオペレーティングシステムログインパスワードを読取ることにより、当該コンピューティング装置のロックモードが解除されて、当該コンピューティング装置に対する使用権限が回復されることを特徴とする請求項２に記載の自動オペレーティングシステムログイン機能付きのワークシステムの使用方法。
【発明の詳細な説明】
【技術分野】
【０００１】
本発明は、自動オペレーティングシステムログイン機能付きのワークシステム及びその使用方法に関し、特に、オペレーティングシステムログインパスワードを内蔵する指紋モバイルディスクを直接にコンピューティング装置に挿入すると、自動的に、当該コンピューティング装置のオペレーティングシステムにログインするものに関する。
【背景技術】
【０００２】
技術の進歩とともに、数多い、例えば、デスクトップやノートブックコンピュータ或いは携帯情報端末（パーソナル  デジタル  アシスタント、ＰＤＡ）等の、オペレーティングシステムを有する電子装置は、幅広く日常生活に応用される。上記の電子装置は、特に、デスクトップやノートブックコンピュータである場合、一般として、ユーザーが、１組のオペレーティングシステムログインパスワードをキーインしてコンピュータの使用授権を得ることが必要である。
【０００３】
また、近年来、指紋認識装置が、コンピュータシステムに結合され、指紋認識装置により、ユーザーの指紋を捕獲して、捕獲した指紋を識別することにより、当該コンピュータシステムを使用するユーザーの身分を制限して、安全を確保する効果が得られる。
【０００４】
しかしながら、従来の、コンピュータシステムにログインする度に、ユーザーが、１組のオペレーティングシステムログインパスワードをキーインするか、指紋認識装置により指紋認識が行われる（一般として、指の指紋を当該指紋認識装置に面して摺動検知する）ことにより、オペレーティングシステムにログインする。そのため、従来のコンピュータシステムにログインする方式は、快速的に（ログインする度に、キーインパスワードや指紋走査が必要とする）且つ精確に（指紋走査の場合、多数回により正確に指紋を検知できる恐れがある）実行することができないため、改善すべく課題がある。
【０００５】
本発明者は、上記の欠点を改善するため、長年の業界経験に基づいて、慎重に観察して研究することにより、設計が合理的で、有効に上記の課題を改善できる本発明を提案する。
【発明の開示】
【発明が解決しようとする課題】
【０００６】
本発明の主な目的は、指紋モバイルディスクを直接にコンピューティング装置に挿入することにより、当該指紋モバイルディスクと当該コンピューティング装置とが、電気的に接続され、また、予めに当該指紋モバイルディスクに記憶されたドメイン名やユーザー名及びオペレーティングシステムログインパスワードにより、快速的に且つ有効的に、自動的に、当該コンピューティング装置のオペレーティングシステムにログインする自動オペレーティングシステムログイン機能付きのワークシステム及びその使用方法を提供する。
【課題を解決するための手段】
【０００７】
本発明は、上記の目的を達成するため、指紋モバイルディスクとコンピューティング装置とが含有される自動オペレーティングシステムログイン機能付きのワークシステムである。当該指紋モバイルディスクは、ユーザーの指紋情報を捕獲する指紋捕獲ユニットと、当該ユーザーの指紋情報を記憶する記憶装置とが含有され、当該コンピューティング装置は、当該指紋モバイルディスクに電気的に接続され、オペレーティングシステムが内蔵され、また、当該ユーザーの指紋情報の授権に基づいて、それぞれ、ドメイン名とユーザー名及びオペレーティングシステムログインパスワードを設定するためのログインパスワード設定ユニットと、オペレーティングシステムインターフェースにログインするためのログインパスワードキーインユニットとが含有され、当該ドメイン名と当該ユーザー名及び当該オペレーティングシステムログインパスワードは、当該記憶装置に記憶され、これにより、当該コンピューティング装置をオンして、当該ログインパスワードキーインユニットにアクセスする時、当該ログインパスワードキーインユニットにより、自動的に、それぞれ、当該記憶装置に記憶されたドメイン名とユーザー名及びオペレーティングシステムログインパスワードを読取り、自動的に、当該コンピューティング装置のオペレーティングシステムにログインする。
【０００８】
本発明は、上記の目的を達成するために、まず、指紋モバイルディスクをコンピューティング装置に電気的に接続し、そして、当該指紋モバイルディスクの指紋捕獲ユニットにより、ユーザーの指紋情報を捕獲し、その後、当該ユーザーの指紋情報に基づいて、ユーザーが、当該コンピューティング装置のログインパスワード設定ユニットに対して、それぞれ、当該コンピューティング装置のオペレーティングシステムにログインするためのドメイン名とユーザー名及びオペレーティングシステムログインパスワードを設定することを授権し、また、当該ドメイン名と当該ユーザー名及び当該オペレーティングシステムログインパスワードを、それぞれ、当該指紋モバイルディスクの記憶装置に記憶し、そして、改めてコンピュータをオンする時、当該コンピューティング装置のログインパスワードキーインユニットにアクセスでき、これにより、当該ログインパスワードキーインユニットにより、自動的に、それぞれ、当該記憶装置に記憶されたドメイン名とユーザー名及びオペレーティングシステムログインパスワードを読取り、自動的に、当該コンピューティング装置のオペレーティングシステムにログインする自動オペレーティングシステムログイン機能付きのワークシステムの使用方法である。
【０００９】
以下、図面を参照しながら、具体的な実施例を挙げて、本発明の予期の目的を達成するための技術や手段及び効果を詳しく説明するが、本発明は、当該図面や実施例によって制限されない。
【発明を実施するための最良の形態】
【００１０】
図１は、本発明に係わる自動オペレーティングシステムログイン機能付きのワークシステムの機能ブロック図である。図から分かるように、本発明は、指紋モバイルディスク１とコンピューティング装置２とが含有される自動オペレーティングシステムログイン機能付きのワークシステムを提供する。
【００１１】
指紋モバイルディスク１は、指紋捕獲ユニット１０と記憶装置１１とが含有される。指紋捕獲ユニット１０により、ユーザーの指紋情報Ａが捕獲され、記憶装置１１により、指紋捕獲ユニット１０により捕獲されたユーザーの指紋情報Ａが記憶され、また、記憶装置１１は、不揮発性メモリである。
【００１２】
また、コンピューティング装置２は、指紋モバイルディスク１に電気的に接続され、オペレーティングシステムが内蔵され、また、ログインパスワード設定ユニット２０とログインパスワードキーインユニット２１とが含有される。ログインパスワード設定ユニット２０は、当該ユーザーの指紋情報Ａに基づいて、当該ドメイン名Ｂと当該ユーザー名Ｃ及び当該オペレーティングシステムログインパスワードＤを設定することを授権し、また、当該オペレーティングシステムログインパスワードＢと当該ドメイン名Ｃ及び当該ユーザー名Ｄは、記憶装置１１に記憶される。また、ログインパスワードキーインユニット２１は、オペレーティングシステムログインインターフェースである。
【００１３】
これにより、ユーザーが改めてコンピューティング装置２をオンしてログインパスワードキーインユニット２１にアクセスする時、ログインパスワードキーインユニット２１により、自動的に、それぞれ、記憶装置１１に記憶されたドメイン名Ｂとユーザー名Ｃ及びオペレーティングシステムログインパスワードＤを読取り、自動的に、コンピューティング装置２のオペレーティングシステムにログインする。
【００１４】
図２は、本発明に係わる自動オペレーティングシステムログイン機能付きのワークシステムの使用方法の流れ図である。当該流れ図から分かるように、本発明に係わる自動オペレーティングシステムログイン機能付きのワークシステムの使用方法は、まず、指紋モバイルディスク１をコンピューティング装置２に電気的に接続し（Ｓ１００）、そして、指紋モバイルディスク１の指紋捕獲ユニット１０により、ユーザーの指紋情報Ａが捕獲され（Ｓ１０２）、その後、当該ユーザーの指紋情報Ａに基づいて、ユーザーが、コンピューティング装置２のログインパスワード設定ユニット２０に対して、それぞれ、コンピューティング装置２のオペレーティングシステムにログインするためのドメイン名Ｂとユーザー名Ｃ及びオペレーティングシステムログインパスワードＤを設定することを授権する（Ｓ１０４）。
【００１５】
そして、当該オペレーティングシステムログインパスワードＢと当該ドメイン名Ｃ及び当該ユーザー名Ｄが、それぞれ、指紋モバイルディスク１の記憶装置１１に記憶され（Ｓ１０６）、これにより、改めてコンピュータをオンして、コンピューティング装置２のログインパスワードキーインユニット２１にアクセスする時（Ｓ１０８）、ログインパスワードキーインユニット２１により、自動的に、それぞれ、記憶装置１１に記憶されたドメイン名Ｂとユーザー名Ｃ及びオペレーティングシステムログインパスワードＤを読取って、自動的に、コンピューティング装置２のオペレーティングシステムにログインする（Ｓ１１０）。
【００１６】
また、指紋モバイルディスク１を除去して、指紋モバイルディスク１とコンピューティング装置２とが、電気的に接続されず（Ｓ１１２）、その後、コンピューティング装置２のロックモードを駆動して、コンピューティング装置２の任意の操作を制限し（Ｓ１１４）、そして、指紋モバイルディスク１をコンピューティング装置２に接続して、指紋モバイルディスク１が、再び、コンピューティング装置２に電気的に接続され（Ｓ１１６）、ログインパスワードキーインユニット２１により、直接に、記憶装置１１に記憶されたドメイン名Ｂとユーザー名Ｃ及びオペレーティングシステムログインパスワードＤを、それぞれ、読取り、コンピューティング装置２のロックモードを解除して、コンピューティング装置２に対する使用権限が回復される（Ｓ１１８）。
【００１７】
本発明によれば、上記の説明のように、指紋モバイルディスク１を直接にコンピューティング装置２に挿入することにより、指紋モバイルディスク１とコンピューティング装置２とが電気的に接続され、また、予めに当該指紋モバイルディスクに記憶されたドメイン名Ｂとユーザー名Ｃ及びオペレーティングシステムログインパスワードＤ（当該ドメイン名Ｂと当該ユーザー名Ｃ及び当該オペレーティングシステムログインパスワードＤは、当該ユーザーの指紋情報Ａに基づいて設定される）により、快速的に且つ有効的に、自動的に、コンピューティング装置２のオペレーティングシステムにログインする。
【００１８】
以上は、ただ、本発明のより良い具体的な実施例であり、本発明は、それによって制限されず、本発明に係わる特許請求の範囲や明細書の内容に基づいて、本技術を良く分かる熟練者であれば、簡単に等価の変更や修正ができ、当該等価の変更や修正は、全てが、本発明の特許請求の範囲内に含まれる。
【図面の簡単な説明】
【００１９】
【図１】本発明に係わる自動オペレーティングシステムログイン機能付きのワークシステムの機能ブロック図である。
【図２】本発明に係わる自動オペレーティングシステムログイン機能付きのワークシステムの使用方法の流れ図である。
【符号の説明】
【００２０】
１    指紋モバイルディスク
１０  指紋捕獲ユニット
１１  記憶装置
２    コンピューティング装置
２０  ログインパスワード設定ユニット
２１  ログインパスワードキーインユニット
Ａ    ユーザーの指紋情報
Ｂ    ドメイン名
Ｃ    ユーザー名
Ｄ    オペレーティングシステムログインパスワード
【図１】
2007149101.tif 000003
【図２】
2007149101.tif 000004